(57)【要約】      （修正有）【課題】取出口の構造を備えつつ、エンボス形状の形成されているキッチンペーパーを収納可能な収納箱を提供すること。【解決手段】複数枚のキッチンペーパーを１枚ずつスリット１７から取り出し可能に折り畳んで積み重ねた状態で収納する収納箱１０であって、スリット１７は、上面１１に開口する長穴１５を閉塞するフィルム１６に、その長手方向に延長されている形態で形成されて、両端部間の長さが収納箱の角部１０ｅ間の長さの７５％に形成されている。【選択図】図２
2019099225.tif 000002
【特許請求の範囲】
【請求項１】
複数枚のキッチンペーパーを１枚または数枚ずつ取出口から取り出し可能に折り畳んで積み重ねた状態で収納する直方体状の収納箱であって、
前記取出口は、
前記収納箱の一面を形成面として開口されて、
当該取出口の形成面の長手方向の両端部間の長さが前記収納箱の長手方向の長さの７５％以上に形成されていることを特徴とする収納箱。
【請求項２】
前記取出口は、当該取出口の長手方向に延長されている切り込みの形成されているフィルムが設置されて構成されていることを特徴とする請求項１に記載の収納箱。
【請求項３】
前記取出口は、所定の幅で開口する形態に形成されていることを特徴とする請求項１または請求項２に記載の収納箱。
【請求項４】
前記取出口の少なくとも一方の端部は、前記収納箱の当該取出口の長手方向の側面側に延長されて開口するように形成されていることを特徴とする請求項１から請求項３のいずれか１項に記載の収納箱。
【請求項５】
請求項１から請求項４のいずれか１項に記載の収納箱と、
前記収納箱に収納されるキッチンペーパーとからなり、
当該キッチンペーパーの厚みが１７０〜２７０μｍであって、
１プライの坪量が１５〜２５ｇ／ｍ2であることを特徴とする箱入りキッチンペーパー。
【発明の詳細な説明】
【技術分野】
【０００１】
本発明は、厚めのキッチンペーパーを必要な枚数だけ順次に取り出し可能に収納する収納箱に関する。
【背景技術】
【０００２】
ティッシュペーパーなどの薄めの薄葉紙は、柔らかい肌触りで使用するものであり、積極的に変形させて収納箱から取り出すことができる。このような薄めの薄葉紙は、ビニル樹脂等のフィルムに短い長さで切り込まれているスリットが収納箱に形成されている。
【０００３】
これに対して、厚めの薄葉紙では、固めの紙質となって変形し辛く、取り出し難いことから、例えば、特許文献１に記載のように、大面積で開口する取出口を収納箱に形成する場合がある。
【０００４】
ただし、キッチンペーパーの場合には、清潔な状態を保つ構造の要請もあることから、例えば、特許文献２に記載のように、ティッシュペーパーなどの薄めの薄葉紙と同様の収納箱を用いることができるように、紙質の特性を改良するなど各種の工夫がなされている。
【先行技術文献】
【特許文献】
【０００５】
【特許文献１】特開２００４−  １８０１０号公報
【特許文献２】特開２０１６−１３５２２５号公報
【発明の概要】
【発明が解決しようとする課題】
【０００６】
しかしながら、このような収納箱にあっては、拭き取り等の際に最適なエンボス形状などがキッチンペーパーに形成される場合もあり、ティッシュペーパーなどの薄めの薄葉紙と同様の収納箱を用いて、そのエンボス形状の変形を避けつつ取り出すことができるようにするのは難しい。
【０００７】
そこで、本発明は、取出口の構造を備えつつ、エンボス形状などの形成されているキッチンペーパーをも収納可能な収納箱を提供することを目的としている。
【課題を解決するための手段】
【０００８】
上記課題を解決する収納箱の発明の一態様は、複数枚のキッチンペーパーを１枚または数枚ずつ取出口から取り出し可能に折り畳んで積み重ねた状態で収納する直方体状の収納箱であって、前記取出口は、前記収納箱の一面を形成面として開口されて、当該取出口の形成面の長手方向の両端部間の長さが前記収納箱の長手方向の長さの７５％以上に形成されていることを特徴とするものである。
【発明の効果】
【０００９】
このように本発明の一態様によれば、取出口が、その取出口の延長線方向の紙幅の７５％以上の長さを有するので、キッチンペーパーを大きく変形させることなく引き出す6ことができる。
【００１０】
したがって、例えば、エンボス加工による突起形状が形成されているキッチンペーパーでも、その突起形状等を変形させて効果が損なわれてしまうことなく、収納箱から取り出すことができる。
【図面の簡単な説明】
【００１１】
【図１】図１は、本発明の第１実施形態に係る収納箱の全体構成を示す外観図である。
【図２】図２は、取出口の構成を示す平面図である。
【図３】図３は、使用前のキッチンペーパー束の状態を示す収納箱上部の縦断面図である。
【図４】図４は、キッチンペーパーの引き出し前の状態を示す収納箱上部の縦断面図である。
【図５】図５は、キッチンペーパーと取出口の幅を比較する概念図である。
【図６】図６は、本発明の第２実施形態に係る収納箱の全体構成を示す外観図である。
【図７】図７は、本発明の第３実施形態に係る収納箱の構成を示す平面図である。
【図８】図８は、本発明の第４実施形態に係る収納箱の全体構成を示す外観図である。
【発明を実施するための形態】
【００１２】
以下、図面を参照して、本発明の実施形態について詳細に説明する。
（第１実施形態）
図１〜図５は本発明の第１実施形態に係る収納箱を示す図である。
【００１３】
図１において、収納箱１０は、通常のエンボス加工による突起形状Ｅｍ（図４を参照）が形成されている汎用の紙質のキッチンペーパーＰを１枚ずつ取り出すことができるように収納してパッケージ化する際に使用するケース（容器）であり、２つ折りに畳んだ複数枚のキッチンペーパーＰを積み重ねた束１０Ｂが収納されている。収納箱１０は、上面１１がキッチンペーパーＰを２つ折りした長方形に相似する形状に形成されて、短尺な側面１２および長尺な側面１３がキッチンペーパーＰの束１０Ｂの厚さ程度の直方体のボックス形状に作製されている。収納箱１０は、その短尺な側面１２の上片１２ａと下片１２ｂとを固着前に開口させた状態でキッチンペーパーＰの束１０Ｂを差し込んだ後にその上片１２ａと下片１２ｂとを接着してその開口を閉止するようになっている。
【００１４】
この収納箱１０は、上面１１、側面１２、１３および底面（不図示）が厚紙で作製されて、そのうちの一面である上面（形成面）１１の中央付近に、長手方向に延長されている長穴１５が形成されている。長穴１５は、収納箱１０内に収納する最上面のキッチンペーパーＰを摘むことができるように、指先を差し込み可能な程度の面積、言い換えると、３５〜５５ｍｍ程度の幅で開口しており、その指先で変形可能な可撓性を有するビニル樹脂等のフィルム１６によりホコリ等が収納箱１０内に侵入しないように閉塞されている。フィルム１６は、長穴１５の長手方向に延長されているスリット１７が形成されて、そのスリット１７を開口させることにより収納箱１０内のキッチンペーパーＰの最上位Ｐｔを引き出して端辺Ｐｅ側（２つ折りの折辺側の場合もある）から取り出すことができるようになっている。
【００１５】
これにより、収納箱１０は、内部に収納するキッチンペーパーＰをホコリ等に汚損されずに清潔な状態に維持している。また、スリット１７は、キッチンペーパーＰの端辺Ｐｅと平行な延長方向に形成されており、言い換えると、そのキッチンペーパーＰの引き出される方向に対して直交（交差）する方向に延長される形態で開口するように形成されている。すなわち、スリット１７がキッチンペーパーＰを清潔に保持しつつ取り出し可能に開口される取出口を構成している。
【００１６】
ここで、キッチンペーパーＰは、最上位Ｐｔの２つ折りの間に、後続の半面Ｐｈを挟み込んでその半面Ｐｈの片側をさらに後続の２つ折りの間に挟み込む形態を連続させることにより積み重ねられて収納箱１０内に収納されている。この収納形態では、最上面のキッチンペーパーＰが摘まれてスリット１７から引き出される際に、その２つ折りの間に挟み込まれている後続のキッチンペーパーＰが摩擦力で引き摺られて、そのスリット１７から半面Ｐｈが露出することになる。これにより、キッチンペーパーＰは、次の引き出し時に容易に摘むことができる形態で待機するようになっていて、使い勝手に優れるパッケージ１０Ｐになっている。
【００１７】
また、キッチンペーパーＰは、キッチンで使用するものであり、例えば、調理途中の食材から水分や油分等を効果的に取り去ることができるように、吸水性や吸油性などに優れるティッシュペーパーなどよりも厚めの薄葉紙に作製されている。また、キッチンペーパーＰは、例えば、食材をトレーなどから離隔させて載せることができるように高さを確保する突起形状Ｅｍを一面側に浮き出させるエンボス加工が多用されている。
【００１８】
なお、このキッチンペーパーＰは、クレープ紙１枚（所謂、１プライ）を２つ折りにして利用する形態でも、また、クレープ紙２枚（所謂、２プライ）またはクレープ紙３枚（所謂、３プライ）以上の一組を２つ折りにして１枚と同様に利用する形態のいずれでもよく、本実施形態では２プライの形態を１枚として利用する場合を一例にして説明する。
【００１９】
そして、収納箱１０は、図２に示すように、スリット１７の長さ（両端部１７ａ間の長さ）がそのスリット１７の延長方向と交差する収納箱１０の角部（両端部）１０ｅ間の長さの７５％以上、本実施形態では７５％になるように形成されている。ここで、本実施形態のスリット１７は、収納箱１０の上面１１の長手方向側辺１１ａと平行に形成されているので、その延長方向両端部がその上面１１の短尺方向側辺１１ｂの角部１０ｅと直交している。なお、本実施形態の収納箱１０は、上面１１の長手方向側辺１１ａと平行のスリット１７が取出口として形成されているが、これに限るものではない。例えば、収納箱１０の上面１１の長手方向側辺１１ａに対して斜めに傾くスリットを形成してもよく、この場合には、そのスリットの延長方向が上面１１の短尺方向側辺１１ｂと斜めに交差して、その交点に位置する角部１０ｅ間の７５％の長さにスリットを形成すればよい。
【００２０】
この構造により、収納箱１０は、長穴１５（スリット１７）と両端部の角部１０ｅとの間に、上面１１が介在して、言い換えると、構成部材の厚紙が残存して、その角部１０ｅの断面直角となる形状に起因する強度を利用することができ、収納箱１０のボックス形状を効果的に維持することができる。
【００２１】
具体的には、キッチンペーパーＰは、図３および図４に示すように、使用開始前の収納箱１０内に２つ折りに畳まれて積み重ねられた束１０Ｂの状態で収納されて、その収納箱１０の上面１１から最上面が離隔している。また、このキッチンペーパーＰは、収納される収納箱１０の角部１０ｅ間と略同等の長さの端辺Ｐｅを有し、２つ折りされた折辺Ｐｆも同等の長さを有して収納箱１０に積み重ねられて束１０Ｂにされている。
【００２２】
このキッチンペーパーＰは、使用する場合、収納箱１０の上面１１の長穴１５内に位置するスリット１７をフィルム１６の可撓性を利用して広げることにより指先を差し込んで最上面を摘み最上位Ｐｔから引き出すことができる。これにより、キッチンペーパーＰは、最上位Ｐｔの半面Ｐｈをそのスリット１７から外部に引き出した状態で次の使用に待機させることができ、また、そのまま最上位Ｐｔをスリット１７から引き出すことにより、２つ折りの間に挟む次のキッチンペーパーＰの半面Ｐｈを摩擦力で引き摺って（後続させて）外部に露出させ待機状態にすることができる。この結果、次に使用するキッチンペーパーＰは、スリット１７から露出する半面Ｐｈを摘んで容易に引き出して取り出すことができる。
【００２３】
この場合、キッチンペーパーＰは、図５に示すように、収納される収納箱１０の角部１０ｅ間の７５％の長さで開口する取出口のスリット１７から取り出されることから、主に両側辺Ｐｓ側が変形されつつ引き出されることになる。
【００２４】
このとき、キッチンペーパーＰは、両側辺Ｐｓ付近の片側１０％位の範囲を変形させる負荷が加わる程度なので、その両側辺Ｐｓ側が集中的に変形されることはなく、その付近に多少の皺を寄らせるなどの変形を波及させた後に吸収することができ、外部に露出した後には平坦な形態に復帰することができる。
【００２５】
ところで、キッチンペーパーＰを使用するときには、作業上、収納箱を押さえることができずに、キッチンペーパーＰのみを片手で摘んで取り出す場合が多い。この場合、そのキッチンペーパーＰの取り出し時の負荷が大きいと、収納箱が載置面から浮いてしまい、キッチンペーパーＰを収納箱の取出口からスムーズに取り出せない、という面倒なことが頻発する。しかしながら、本実施形態の収納箱１０では、キッチンペーパーＰの取り出し時の負荷が両側辺Ｐｓ付近の片側１０％位の範囲を変形させる程度であることから、このような面倒な作業の発生を抑制することができる。
【００２６】
ここで、収納箱１０は、４０〜６０ｇ程度の重量になるように作製されている。このため、キッチンペーパーＰの収納枚数が少なくなった場合でも、そのキッチンペーパーＰの取り出し時の負荷によって浮き上がってしまうことを抑制することができる。なお、この収納箱１０は、キッチンペーパーＰの収納スペースとして余裕を持つことのできる寸法に設定されており、言い換えると、キッチンペーパーＰの大きさが収納箱１０の内寸に対して長手方向の長さが９５％以上で、好ましくは９６〜９８％程度を占める大きさになるように作製されている。さらに、このキッチンペーパーＰは、厚さが１７０〜２７０μｍで、１プライ（１枚）の坪量が１５〜２５ｇ／ｍ2となる材質（品質）のものを使用している。
【００２７】
このスリット１７の長さは、収納箱１０内に収納するキッチンペーパーＰに応じて設定すればよく、例えば、スリット１７の開口長さを可変しつつ収納対象のキッチンペーパーＰを引き出す試験を行って、その引き出し時の変形が皺として、あるいは、突起形状Ｅｍの崩れなどとして残らない寸法に決定すればよい。また、このスリット１７の長さは、引き出し中に発生する復帰可能な変形だけでなく、そのスリット１７から半面Ｐｈを外部に露出させて待機する状態をある程度継続させた後に、皺などの変形が残らない寸法に決定するのも品質を向上させるのに好適である。
【００２８】
また、スリット１７の長さは、キッチンペーパーＰを実際に使用しての試験で適宜に決定するだけでなく、例えば、キッチンペーパーＰ自体の紙質、すなわち、単位面積当たりの重量（所謂、坪量）、剛性、厚さなどをパラメータとして、決定（設定）するようにしてもよい。さらに、このスリット１７の長さは、収納箱１０の収納事情、すなわち、キッチンペーパーＰの収納枚数や収納高さに応じて変化する引き出し易さなど、あるいは、キッチンペーパーＰにエンボス加工により形成する突起形状Ｅｍの形や寸法や強度などに応じた標準値を予め準備しておいて決定するようにしてもよい。これにより、キッチンペーパーＰを実際に使用しての試験を行うことなくスリット１７の長さを決定することができ、皺等の変形を極力抑えたい場合には多少余裕を持たせて設定するなど工夫すればよい。
【００２９】
このように、本実施形態の収納箱１０においては、収納箱１０のスリット１７の長さを、上面１１の両角部１０ｅ間（長手方向側辺１１ａ）の長さの７５％にして、キッチンペーパーＰの引き出される箇所の幅、すなわち、端辺Ｐｅの長さの７５％と長めに設定している。このため、キッチンペーパーＰは、両側辺Ｐｓ付近を復帰可能な程度に変形させるだけで収納箱１０のスリット１７から引き出すことができ、皺が寄ったり突起形状Ｅｍが崩れてしまうことのなく高品質のまま提供することができる。また、このキッチンペーパーＰは、摘んで引き出すようにするだけで、収納箱１０が持ち上がってしまうことを抑制しつつ、スムーズに取り出して使用することができる。
【００３０】
ここで、本実施形態の他の態様としては、上述実施形態ではスリット１７の長さが収納箱１０の上面１１の角部１０ｅ間の長さの７５％になるように形成するがこれに限るものではない。
【００３１】
例えば、スリット１７の長さが上面１１の角部１０ｅ間の長さの８０〜９０％の収納箱１０では、引き出し時にキッチンペーパーＰに掛かる負荷をより小さくして皺などの変形を抑えることができ、より大きな突起形状Ｅｍの形成されているキッチンペーパーＰや、より硬質で変形を受け易いキッチンペーパーＰを高品質に取り出すことを可能にする。また、このキッチンペーパーＰでは、スリット１７の長さを大きくすることによって取り出し時の負荷をより小さく抑えることができ、収納箱１０が持ち上がってしまうことをより確実に抑制してスムーズな使用を実現することができる。さらに、スリット１７の長さを９０％程度までに抑えることで、引き出したキッチンペーパーＰの両端辺Ｐｓの変形（皺）による強度を有効利用して、図４に示す立ち上がる状態を維持して、次に使用する際に容易に摘んで引き出して使用ことを可能にする。
【００３２】
さらに、例えば、スリット１７の長さが上面１１の角部１０ｅ間の長さの９５％の収納箱１０では、角部１０ｅによる収納箱１０の形状維持の効果を確保しつつ、キッチンペーパーＰの変形をより小さく抑えることができる。要するに、キッチンペーパーＰの紙質や突起形状Ｅｍなどの事情に応じて適宜にスリット１７の長さを決定すればよい。
【００３３】
（第２実施形態）
次に、図６は本発明の第２実施形態に係る収納箱を示す図である。ここで、本実施形態は上述第１実施形態と略同様に構成されていることから、同様の構成には同一の符号を付して図面を流用し特徴部分を説明する（後述する他の実施形態においても同様）。
【００３４】
図６において、収納箱３０は、上述第１実施形態の収納箱１０と同様に、突起形状Ｅｍが一面側に浮き出るようにエンボス加工されているキッチンペーパーＰの束１０Ｂを１枚ずつ取り出し可能に収納してパッケージ化する際に使用するケースである。収納箱３０も、上面１１、側面１２、１３および底面を有する直方体に作製されている。
【００３５】
この収納箱３０は、上面１１の短尺方向側辺１１ｂの角部１０ｅまで延長されて、さらに側面１２内まで降下する長穴３５が形成されており、その長穴３５は、収納箱１０と同様に、フィルム３６により閉塞されて、そのフィルム３６にも長穴３５と同等の長さに延長されているスリット３７が形成されている。
【００３６】
これにより、収納箱３０でも、ホコリ等が内部に侵入しないように長穴３５がフィルム３６により閉塞されて、そのフィルム３６を変形させつつスリット３７からキッチンペーパーＰの最上位Ｐｔを摘んで引き出すことができる。すなわち、このスリット３７も取出口を構成して、そのスリット３７の延長方向と交差する角部１０ｅ間の長さの１００％で開口するように形成されている。
【００３７】
したがって、キッチンペーパーＰは、上述第１実施形態の収納箱１０では多少両側辺Ｐｓ付近を変形させつつスリット１７から引き出していたが、本実施形態の収納箱３０ではスリット３７から変形させることなくフラットな状態のまま引き出すことができる。さらに、このスリット３７は、側面１２側にも降下しているので、よりスムーズに広げてキッチンペーパーＰを快適に引き出すことができ、信頼性高く高品質のまま使用することができる。なお、収納箱３０では、長穴３５を両端部の角部１０ｅまで延長しているので、上面１１の構成部材の厚紙を残して角部１０ｅによる強度を得ることができないが、その強度が必要な使用環境である場合には、例えば、少なくとも側面１２の上片１２ａの裏面側に厚紙を接着するなどして補強するなど適宜に対策すればよい。
【００３８】
このように、本実施形態の収納箱３０においては、上述第１実施形態による作用効果に加えて、スリット３７を上面１１の長手方向側辺１１ａの長さの１００％以上にして、よりスムーズにキッチンペーパーＰを引き出すことができ、より高品質のキッチンペーパーＰを提供することができる。
【００３９】
（第３実施形態）
次に、図７は本発明の第３実施形態に係る収納箱を示す図である。
【００４０】
図７において、収納箱５０は、上述第１実施形態の収納箱１０と同様に、突起形状Ｅｍが一面側に浮き出るようにエンボス加工されているキッチンペーパーＰの束１０Ｂを１枚ずつ取り出し可能に収納してパッケージ化する際に使用するケースである。収納箱５０も、上面１１、側面１２、１３および底面を有する直方体に作製されている。
【００４１】
この収納箱５０は、上面１１の長穴１５を閉塞するフィルム１６に、その長手方向に延長されているスリット５７が形成されており、そのスリット５７の両端部には、その延長方向に交差する方向の切り込みが両側に形成されて、Ｙ字形状の切り込み５７ｙが形成されている。
【００４２】
したがって、キッチンペーパーＰは、取出口のスリット５７が切り込み５７ｙ間の幅の分だけ、上述第１実施形態のスリット１７よりも大きく開口することができ、キッチンペーパーＰのスムーズな引き出しを実現して（与えられる負荷を軽減して）変形を抑えることができ、信頼性高く高品質のまま使用することができる。
【００４３】
このように、本実施形態の収納箱５０においては、上述第１実施形態による作用効果に加えて、スリット１７を容易に開口するようにして、よりスムーズにキッチンペーパーＰを引き出すことができ、より高品質のキッチンペーパーＰを提供することができる。
【００４４】
ここで、本実施形態の他の態様としては、スリット５７の両端部に、延長方向の両側に直交する切り込みを両側に形成してＴ字形状の切り込みを形成してもよく、この場合にも同様の作用効果を得ることができる。また、スリット５７の延長方向の両側に限らず、片側に切り込みを形成してＬ字の切り込みを形成してもよい。
【００４５】
（第４実施形態）
次に、図８は本発明の第４実施形態に係る収納箱を示す図である。
【００４６】
図８において、収納箱７０は、上述第１実施形態の収納箱１０と同様に、突起形状Ｅｍが一面側に浮き出るようにエンボス加工されているキッチンペーパーＰの束１０Ｂを１枚ずつ取り出し可能に収納してパッケージ化する際に使用するケースである。収納箱７０も、上面１１、側面１２、１３および底面を有する直方体に作製されている。
【００４７】
この収納箱７０は、上述第１実施形態の収納箱１０におけるフィルム１６が設置されることなく、上面１１の長穴１５が開口されている。これにより、収納箱７０内のキッチンペーパーＰは、フィルム１６のスリット１７を広げるなどの操作をすることなく、その長穴１５内に指先を差し込んで最上位Ｐｔを摘んで引き出すことができる。
【００４８】
したがって、キッチンペーパーＰは、フィルム１６のスリット１７から引き出すなどの手間なく、収納箱７０内から容易に信頼性高く高品質のまま取り出すことができ、仮に長穴１５から露出していなくても、簡単に最上位Ｐｔから摘んで使用を開始することができる。
【００４９】
このように、本実施形態の収納箱７０においては、上述第１実施形態と同様の作用効果を得ることができ、開口する長穴１５からキッチンペーパーＰをより簡易に引き出して、高品質のキッチンペーパーＰを提供することができる。
【００５０】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００５１】
１０、３０、５０、７０……収納箱
１０Ｂ……キッチンペーパーの束
１０Ｐ……キッチンペーパーのパッケージ
１０ｅ……角部
１１……上面
１５、３５……長穴
１６、３６……フィルム
１７、３７、５７……スリット
１７ａ……端部
５７ｙ……切り込み
Ｅｍ……突起形状
Ｐ……キッチンペーパー
Ｐｅ……端辺
Ｐｆ……折辺
Ｐｈ……半面
Ｐｓ……側辺
【図１】
2019099225.tif 000003
【図２】
2019099225.tif 000004
【図３】
2019099225.tif 000005
【図４】
2019099225.tif 000006
【図５】
2019099225.tif 000007
【図６】
2019099225.tif 000008
【図７】
2019099225.tif 000009
【図８】
2019099225.tif 000010